(57)【要約】【課題】導光板とその前側に配置される透光性の表示パネルとの間に隙間が形成されることを抑制することができる表示装置を提供する。【解決手段】表示装置は、前後方向に厚みを有する導光板２と、導光板２の前側に配され、透光性を有する表示パネル３と、導光板２の側面へ光を出射する光源部４と、表示パネル３の前側に配置される押さえ部５と、を備える。表示パネル３は、その端部に、弾性変形可能な薄肉部３０を有する。薄肉部３０は、押さえ部５と導光板２とで挟まれる。【選択図】図２
2019133031.tif 000002
【特許請求の範囲】
【請求項１】
前後方向に厚みを有する導光板と、
前記導光板の前側に配され、透光性を有する表示パネルと、
前記導光板の側面へ光を出射する光源部と、
前記表示パネルの前側に配置される押さえ部と、を備え、
前記表示パネルは、その端部に、弾性変形可能な薄肉部を有し、
前記薄肉部は、前記押さえ部と前記導光板とで挟まれる、
表示装置。
【請求項２】
前記押さえ部は、前記光源部と一体である、
請求項１に記載の表示装置。
【請求項３】
前記表示パネルは、前記薄肉部よりも厚みの大きな本体部を、前記薄肉部と連続して有し、
前記薄肉部の後面は、前記本体部の後面よりも前側に位置し、
前記導光板は、前記薄肉部の前記後面に接するように、前側に突出した厚肉部を有する、
請求項１または２に記載の表示装置。
【請求項４】
前記表示パネルは、前記薄肉部よりも厚みの大きな本体部を、前記薄肉部と連続して有し、
前記薄肉部の前面は、前記本体部の前面よりも後側に位置する、
請求項１〜３のいずれか一項に記載の表示装置。
【請求項５】
前記薄肉部の前面または後面は、第一面と、前記第一面と連続し、前記本体部に近い部分ほど前後方向の外側に位置する第二面とで構成され、
前記第一面と前記第二面とは段差を介さずに連続する、
請求項３または４に記載の表示装置。
【発明の詳細な説明】
【技術分野】
【０００１】
本発明は、表示装置に関し、より詳細には、導光板と、その前側に配される透光性の表示パネルとを備える表示装置に関する。
【背景技術】
【０００２】
従来、誘導灯等として用いられる表示装置が知られている（例えば特許文献１参照）。
【０００３】
特許文献１に記載の表示装置は、避難誘導パターンを示す表示パネルと、表示パネルの背面側に配置される導光板と、導光板に光を照射する光源部と、を備える。
【先行技術文献】
【特許文献】
【０００４】
【特許文献１】特開２００９−３６９８９号公報
【発明の概要】
【発明が解決しようとする課題】
【０００５】
ところで、特許文献１に記載の表示装置では、表示パネルが、樹脂製であるため、成形時等に反りが生じる場合がある。この場合、表示パネルと導光板との間に隙間が形成されることになり、この隙間に埃等の異物が入り込む等の問題が生じるおそれがある。
【０００６】
上記事情に鑑みて、本発明は、導光板とその前側に配置される透光性の表示パネルとの間に隙間が形成されることを抑制することができる表示装置を提供することを、目的とする。
【課題を解決するための手段】
【０００７】
本発明に係る一態様の表示装置は、前後方向に厚みを有する導光板と、前記導光板の前側に配され、透光性を有する表示パネルと、前記導光板の側面へ光を出射する光源部と、前記表示パネルの前側に配置される押さえ部と、を備える。前記表示パネルは、その端部に、弾性変形可能な薄肉部を有し、前記薄肉部は、前記押さえ部と前記導光板とで挟まれる。
【発明の効果】
【０００８】
本発明は、導光板とその前側に配置される透光性の表示パネルとの間に隙間が形成されることを抑制することができる表示装置を提供することができる。
【図面の簡単な説明】
【０００９】
【図１】図１は、本発明に係る実施形態１の表示装置を示す斜視図である。
【図２】図２Ａは、同上の表示装置の要部を示す断面図であり、図２Ｂは、同上の要部の分解した状態を示す断面図である。
【図３】図３は、同上の表示装置を示す分解斜視図である。
【図４】図４は、同上の表示装置の表示パネルと導光板とパネルケースを示す分解斜視図である。
【図５】図５Ａは、本発明に係る実施形態２の表示装置の要部を示す断面図であり、図５Ｂは、同上の要部の分解した状態を示す断面図である。
【発明を実施するための形態】
【００１０】
（実施形態１）
（１）概要
図１及び図２Ａに示すように、実施形態１の表示装置１は、導光板２と、表示パネル３と、光源部４と、押さえ部５と、を備える。表示装置１は、例えば避難誘導用の誘導灯として用いられる。以下では、図１に示す矢印の向きで上下前後左右を定義し、各構成について説明する。図２Ａは、図１のＡ―Ａ線における断面図である。
【００１１】
導光板２は、前後方向に厚みを有する。表示パネル３は、導光板２の前側に配置される。光源部４は、導光板２の側面（本実施形態では上面２０）に光を出射する。押さえ部５は、表示パネル３の前側に配置される。
【００１２】
表示パネル３は、その端部に、弾性変形可能な薄肉部３０を有する。薄肉部３０は、押さえ部５と導光板２とで挟まれる。
【００１３】
（２）詳細
以下、表示装置１について詳しく説明する。図１に示すように、表示装置１は表示パネル３及び導光板２を支持するパネルケース６と、光源部４を発光させるための各種の電気機器が収容される筐体７と、をさらに備える。各種の電気機器は、例えば、端子台８と電源装置９と制御装置１０である（図３参照）。
【００１４】
（２−１）導光板
導光板２は、側面に入射された光を内部で反射させて厚み方向の片側の面の全体から出射させる、面状発光体である。導光板２は、樹脂成型品であり、例えばアクリル樹脂で形成される。
【００１５】
図２Ａ、図２Ｂ及び図４に示すように、導光板２は、略矩形板状であり、前後方向に厚みを有する。導光板２は、上面２０が、光源部４からの光が入射される入射面であり、前面２１が、導光板２の内部に入射された光が出射される出射面である。
【００１６】
導光板２は、その上端部に、薄肉部３０の後面３００に接するように、前側に突出した厚肉部２２を有する。導光板２は、厚肉部２２よりも厚みの小さな本体部２３を、厚肉部２２と連続して有する。
【００１７】
厚肉部２２の前面２２０の形状は、薄肉部３０の後面３００の設計上の形状（つまり反りが生じていない状態の形状）と同じである。
【００１８】
詳しくは、厚肉部２２の前面２２０は、上側に位置するほぼ平らな面２２０ａと、下側に位置する凸曲面２２０ｂとで構成されている。面２２０ａは、上下方向の全長にわたって前後位置が一定である。凸曲面２２０ｂは、下側の部分ほど後側に位置する。面２２０ａと凸曲面２２０ｂとは、段差を介さずに滑らかに連続している。
【００１９】
厚肉部２２の前面２２０は、本体部２３の前面２３０よりも前側に位置する。厚肉部２２の前面２２０と本体部２３の前面２３０とで、導光板２の前面２１が構成されている。
【００２０】
本体部２３の厚みは、例えば７．０ｍｍであり、厚肉部２２の最大厚みは、例えば８．７ｍｍである。厚肉部２２は、上端において厚みが最大である。
【００２１】
導光板２の後面２４には、前面２１の全体から光が略均一に出射されるように、光を反射及び拡散させる拡散機能が付与されている。拡散機能は、後面２４自体に凹凸状の拡散パターンを形成することによって付与してもよいし、拡散機能を有する他の部材（パネルケース６の後板６０等）を後面２４に積層することで付与してもよい。
【００２２】
（２−２）表示パネル
表示パネル３は、その上端部に、弾性変形可能な薄肉部３０を有している。表示パネル３は、樹脂成型品であり、例えばアクリル樹脂で形成される。本実施形態では、表示パネル３は、図４に示すように、矩形状の前板３１と、前板３１の左右の端部から上下方向の全長に亘って後側に突出した側板３２とを備える。以下では、設計上の形状（つまり反りが生じていない状態の形状）の薄肉部３０について説明する。
【００２３】
前板３１は、その上端部に、薄肉部３０を有する。前板３１は、薄肉部３０よりも厚みの大きな本体部３３を、薄肉部３０と連続して有する。
【００２４】
本体部３３の厚みは、例えば２．０ｍｍであり、薄肉部３０の最小厚みは、例えば０．３ｍｍである。薄肉部３０は、先端（上端）において厚みが最小であり、薄肉部３０の下端部（本体部３３に連続する側の端部）は、本体部３３に近い部分ほど厚みが大きい。
【００２５】
本実施形態では、薄肉部３０の後面３００は、本体部３３の後面３３０よりも前側に位置する。薄肉部３０の後側には、上側及び後側に開口した凹部３４が形成される。凹部３４は、厚肉部２２のうち本体部２３よりも前側に突出した部分と同一の形状及び体積である。
【００２６】
薄肉部３０の後面３００は、上側に位置するほぼ平らな面３００ａ（第一面）と、下側に位置する凹曲面３００ｂ（第二面）とで構成されている。凹曲面３００ｂは、下側の部分（本体部３３に近い部分）ほど後側（前後方向の外側）に位置する。面３００ａと凹曲面３００ｂとは、段差を介さずに滑らかに連続している。面３００ａは、上下方向の全長にわたって前後位置が同一の面であってもよいし、下側の部分ほど後側に位置するように傾いた面であってもよい。薄肉部３０の前面３０１と本体部３３の前面３３１とは、前後位置が同一であり、前板３１の前面は平面である。
【００２７】
薄肉部３０は、上端から下側に１０ｍｍ以上の部分の厚みが０．８ｍｍ以下であることが好ましい。この厚みの部分は、面３００ａに対応する部分だけで構成されてもよいし、面３００ａに対応する部分と凹曲面３００ｂの一部（上部）に対応する部分とで構成されてもよい。また、面３００ａは、上下長さが１５ｍｍ以上であることが好ましい。
【００２８】
前板３１の前面には、人物を模したピクトグラムで構成された表示パターン３５が付されている。表示パターン３５は、印刷等の適宜手段によって、前板３１の前面に形成される。
【００２９】
表示パネル３は、薄肉部３０の後面３００に厚肉部２２の前面２２０が上下方向の全長にわたって接し、本体部３３の後面３３０に本体部２３の前面２３０が上下方向の全長にわたって接するように、導光板２に重ねられる。つまり、表示パネル３は、前板３１の後面が導光板２の前面に上下方向の全長にわたって接するように、導光板２に重ねられる。表示パネル３の前板３１と導光板２とで、上下方向の全長にわたって厚みが一定のパネル体が設計上形成される。導光板２の左右の側面は、表示パネル３の左右の側板３２によって覆われる。
【００３０】
（２−３）パネルケース
パネルケース６は、重なった状態の表示パネル３及び導光板２を支持するケースである。パネルケース６は、例えば樹脂成型品である。パネルケース６は、透光性を有していない。図３及び図４に示すように、パネルケース６は、上面及び前面が開口した、前後方向に厚みを有する矩形の箱型である。パネルケース６は、導光板２の後面２４に接する後板６０と、表示パネル３の左右の側面を支持する左右一対の側板６１と、表示パネル３及び導光板２の下面を支持する底板６２と、表示パネル３の前面の外周部を支持する前板６３と、を備える。
【００３１】
前板６３は、左右の側板６１の前端部及び底板６２の前端部のそれぞれと一体であり、前側から視て、Ｕ字状である。前板６３は、表示パネル３の前板３１の前面の左右の端部と下端部とを前側から支持する。後板６０の後面には、筐体７への取り付けに用いられる取付部６４が設けられている。
【００３２】
パネルケース６には、上面の開口を通じて、重なった状態の表示パネル３及び導光板２が収容される。パネルケース６に収容された状態で、表示パネル３の前板３１の左右の端部と下端部とが前板６３によって前側から押さえられる。
【００３３】
（２−４）光源部
光源部４は、導光板２の側面の長手方向の全長にわたって、光を出射するように構成されている。図１及び図２Ａに示すように、光源部４は、導光板２の上面２０に対向するように、導光板２の上側に配置される。光源部４は、表示パネル３及び導光板２に対する位置が１つに決まるように設けられる。
【００３４】
光源部４は、光源４０と、光源４０が収容される光源カバー４１とを備える。本実施形態では、光源部４はさらに、光源カバー４１内に収容される棒状の導光部材４２を備える。
【００３５】
光源４０は、例えば発光ダイオードである。光源カバー４１は、左右方向に長尺な矩形の箱状である。光源カバー４１は、例えば樹脂成型品である。光源カバー４１は、複数の部材の組み合わせ、または１つの部材で形成される。
【００３６】
導光部材４２は、左右方向に長尺であり、左右の端面の少なくとも一方が、光源４０からの光が入射される入射面を構成し、下面が光を出射する出射面を構成している。導光部材４２は、導光板２と同じ材質であり、例えばアクリル樹脂で形成される。
【００３７】
光源カバー４１内には、導光部材４２の左右の端面に対向するように、光源４０が配置される。光源４０から導光部材４２内へと入射された光は、導光部材４２の下面の左右方向の全長から下側に出射され、これにより、導光板２の上面の左右方向の全長に、光が入射される。
【００３８】
光源カバー４１は、例えば、導光部材４２の下方に位置する底壁４１０を有する。底壁４１０は、透光性を有する樹脂で形成される。なお、光源カバー４１は、底面が開口した構造であってもよく、この場合、光源カバー４１内の導光部材４２は、下側に向けて露出する。
【００３９】
図１、図２Ａ、図２Ｂ及び図３に示すように、光源カバー４１には、表示パネル３の前板３１の上端部（薄肉部３０）を前側から押さえるように、下側に突出した凸部４３が設けられている。
【００４０】
本実施形態では、凸部４３は、光源カバー４１の前端部のうち、左右の端部を除く残りの部分から、左右方向の全長にわたって下側に突出している。凸部４３は、左右方向から視て、矩形状に形成されている。凸部４３の後面４３０は、平面である。
【００４１】
光源カバー４１の後面には、筐体７への取り付けに用いられる取付部４４が設けられている（図３参照）。
【００４２】
（２−５）押さえ部
押さえ部５は、表示パネル３の前側に配され、導光板２とで表示パネル３の薄肉部３０を挟むように構成されている。
【００４３】
本実施形態では、押さえ部５は、光源部４と一体である。押さえ部５は、光源部４の凸部４３で構成されている。
【００４４】
（２−６）筐体
図３に示すように、筐体７は、本実施形態では、前面が開口した、矩形の箱型である。筐体７には、パネルケース６の取付部６４が取り付けられる被取付部７０と、光源部４の取付部４４が取り付けられる被取付部７１とが設けられている。筐体７に、パネルケース６と光源部４が取り付けられることで、筐体７の前面の開口の全体が塞がれる。
【００４５】
（２−７）その他
端子台８は、外部電源に接続された電気配線が接続される装置である。電源装置９は、光源部４の光源４０に電力を供給する装置である。電源装置９は、蓄電池を含む。制御装置１０は、光源部４の光源４０の点灯・消灯を制御するための装置である。制御装置１０は、回路基板と、その上に実装されて、制御回路を構成する回路部品とを有する。
【００４６】
端子台８、電源装置９、及び制御装置１０は、筐体７内に収容され、光源部４の光源４０に対して直接または間接的に、電気的に接続される。
【００４７】
（３）表示装置
続いて、図１及び図２Ａに示す組み立てた状態の表示装置１について説明する。
【００４８】
表示装置１では、表示パネル３の弾性変形可能な薄肉部３０が、押さえ部５（凸部４３）と導光板２の厚肉部２２とで挟まれる。
【００４９】
そのため、表示装置１では、表示パネル３の前板３１に、成形時等に左右方向の中央部が前側または後側に凸となる反りが生じた場合でも、薄肉部３０を押さえ部５と導光板２の厚肉部２２とで挟んで弾性変形させることで、薄肉部３０を平坦化することができる。これにより、表示装置１では、表示パネル３の前板３１の上端部と、導光板２との間に隙間が形成されることを防ぐことができ、この隙間に埃等の異物が浸入することを防ぐことができる。
【００５０】
また、表示装置１では、表示パネル３の薄肉部３０の前側に押さえ部５が位置する。そのため、表示装置１では、押さえ部５によって薄肉部３０を前側から覆うことができ、薄肉部３０が目立ちにくい。
【００５１】
また、表示装置１では、表示パネル３の薄肉部３０を、後面側が凹んだ形状に設けているため、表示パネル３の前面を平面に設けることができ、薄肉部３０の形成によって外観が変わることを抑制することができる。
【００５２】
また、表示装置１では、表示パネル３の薄肉部３０の左右両端部に側板３２が一体に設けられているため、側板３２によって薄肉部３０の左右の端部の補強を図ることができる。
【００５３】
また、表示装置１では、表示パネル３と導光板２の下端部は、パネルケース６の底板６２と前板６３によって、前側と下側から覆われている。そのため、表示装置１では、表示パネル３と導光板２の下端部に形成される隙間への埃等の異物の浸入を、パネルケース６によって抑制することができる。
【００５４】
また、表示装置１では、表示パネル３が樹脂成型品であり、薄肉部３０の後面３００が、面３００ａと凹曲面３００ｂとが段差を介さずに連続する面であるため、段差を介して連続する面とする場合に比べて、射出成型用の金型を作りやすい。そのため、薄肉部３０の成形がしやすい。
【００５５】
（４）変形例
以上説明した本実施形態の表示装置１の変形例について説明する。
【００５６】
表示パネル３は、２色成形で形成されてもよく、薄肉部３０は、エラストマーやシリコーンゴムで成形され、その他の部分はアクリル樹脂で成形されてもよい。
【００５７】
表示装置１は、導光板２に対して光源部４が上側に位置する態様に限らず、下側、右側、あるいは左側に位置する態様で用いてもよい。また、表示装置１は、導光板２が上下方向に厚みを有する態様で用いてもよい。
【００５８】
凸部４３は、光源カバー４１に接着等の適宜手段で固定されることで、光源部４と一体であってもよい。また、凸部４３は、光源部４のうちの光源カバー４１とは別の構成要素（例えば導光部材４２）と一体に設けられてもよい。
【００５９】
また、押さえ部５は、光源部４の凸部４３で構成されなくてもよく、光源部４とは別の部材であってもよい。
【００６０】
また、凸部４３は、左右方向に間隔をあけて並んだ複数の突片で構成されてもよい。また、凸部４３は、光源カバー４１のうち、左右方向の中央部のみから下側に突出してもよい。
【００６１】
光源部４は、導光部材４２を備えず、光源４０として、左右方向に間隔をあけて配された複数の発光ダイオードを備えたものであってもよいし、また、導光部材４２を備えず、光源４０として、蛍光灯を備えたものであってもよい。
【００６２】
表示パネル３は、前板３１のみを有し、側板３２を有さなくてもよい。
【００６３】
また、表示パネル３は、本体部３３の下端に連続する他の薄肉部を有してもよく、この場合、導光板２は、その下端部に、本体部２３の下端に連続する他の厚肉部を有する。
【００６４】
また、表示パネル３の薄肉部３０と本体部３３とは、前面同士が面一でなくてもよい。
【００６５】
また、薄肉部３０の後面３００は、上下方向の一部に段差が形成される面であってもよいし、上下方向の全長にわたって前後位置が一定の平面であり、段差を介して本体部３３の後面３３０と連続してもよい。
【００６６】
筐体７は、パネルケース６の後側に限らず、パネルケース６よりも上側に位置し、光源部４に対して水平方向に並ぶように設けられてもよい。この場合、パネルケース６は、光源部４に取り付けられる等することによって、光源部４に対して所定の位置に位置決めされる。
【００６７】
また、表示装置１は、導光板２の前側だけでなく導光板２の後側にも表示パネル３が配置される、両面タイプの誘導灯であってもよい。この場合、表示装置１は、例えば前後対称に設けられる。つまり、導光板２は、その上端部に前側と後側に突出する厚肉部を有し、後側の表示パネル３は、その上端部に薄肉部を有し、後側の表示パネル３の薄肉部の後側には、導光板２の厚肉部との間で後側の表示パネル３の薄肉部を挟む他の押し部材が設けられる。またこの場合、パネルケース６は、後面にも開口を有し、導光板２の内部には、導光板２の前面及び後面を出射面とするための光拡散部が設けられ、筐体７は、パネルケース６よりも上側に位置し、光源部４に対して水平方向に並ぶように設けられる。
【００６８】
（実施形態２）
続いて、図５に示す実施形態２の表示装置１について説明する。実施形態１の表示装置１と共通する構成については、図中に同一の符号を付して詳しい説明を省略し、実施形態１の表示装置１とは異なる構成について詳しく説明する。
【００６９】
実施形態２の表示装置１では、表示パネル３の薄肉部３０の前面３０１は、本体部３３の前面３３１よりも後側に位置する。
【００７０】
薄肉部３０の前面３０１は、上側に位置するほぼ平らな面３０１ａ（第一面）と、下側に位置する凹曲面３０１ｂ（第二面）とで構成される。凹曲面３０１ｂは、本体部３３に近い部分ほど前側（前後方向の外側）に位置する。面３０１ａと凹曲面３０１ｂとは、段差を介さずに滑らかに連続している。薄肉部３０の後面３００と、本体部３３の後面３３０とは、面一である。
【００７１】
表示パネル３の薄肉部３０の前側には、前側及び上側に開口した凹部３６が設けられる。導光板２は、上下方向の全長にわたって厚みが一定である。押さえ部５（凸部４３）は、凹部３６に配置される。凸部４３の後面４３０は、薄肉部３０の前面３０１に対応した形状である。つまり、後面４３０は、ほぼ平らな面とこれに連続する凹曲面とで構成されている。凹曲面は、下側の部分ほど前側に位置している。
【００７２】
以上説明した実施形態２の表示装置１では、表示パネル３の前板３１に、成形時等に左右方向の中央部が前側または後側に凸となる反りが生じた場合でも、薄肉部３０を押さえ部５と導光板２とで挟んで弾性変形させて平坦化することができる。これにより、表示装置１では、表示パネル３の前板３１の上端部と、導光板２との間に隙間が形成されることを防ぐことができ、この隙間に埃等の異物が浸入することを防ぐことができる。
【００７３】
また、実施形態２の表示装置１では、薄肉部３０の前面３０１が、本体部３３の前面３３１よりも後側に位置し、薄肉部３０の前側に形成される凹部３６に押さえ部５（凸部４３）が配置されるため、押さえ部５の前側への突出を抑えることができる。
【００７４】
本実施形態では、押さえ部５が光源部４と一体である（押さえ部５が凸部４３で構成される）ため、光源部４の前側への突出量を抑えることができる。
【００７５】
また、実施形態２の表示装置１では、薄肉部３０を、押さえ部５によって前側から覆うことができ、薄肉部３０が目立ちにくい。
【００７６】
また、実施形態２の表示装置１では、導光板２の前面を平面に設けることができるため、導光板２の前面の全体から出射される光を均一にしやすい。また、導光板２の厚みが一定であるため、導光板２が成形しやすい。
【００７７】
実施形態２の表示装置１においても、上述した実施形態１の表示装置１の変形例と同様の変形例を採用可能である。
【００７８】
また、表示パネル３の薄肉部３０は、後面３００と前面３０１の両面が、略平らな面と、凹曲面とで構成されてもよい。
【００７９】
（まとめ）
以上説明した実施形態１、２及びその変形例の表示装置１のように、第一態様の表示装置１は、下記の構成を備える。
【００８０】
すなわち、第一態様の表示装置１は、前後方向に厚みを有する導光板２と、導光板２の前側に配され、透光性を有する表示パネル３と、導光板２の側面へ光を出射する光源部４と、表示パネル３の前側に配置される押さえ部５と、を備える。表示パネル３は、その端部に、弾性変形可能な薄肉部３０を有し、薄肉部３０は、押さえ部５と導光板２とで挟まれる。
【００８１】
上記構成を備えることで、第一態様の表示装置１では、成形時などに表示パネル３に反りが生じた場合に、表示パネル３の薄肉部３０を押さえ部５と導光板２とで挟むことで、薄肉部３０を弾性変形させて薄肉部３０における反りを無くすことができる。そのため、第一態様の表示装置１では、表示パネル３の端部と導光板２との間に埃等の異物の浸入可能な隙間が形成されることを防ぐことができる。
【００８２】
また、実施形態１、２及びその変形例の表示装置１のように、第二態様の表示装置１は、第一態様の表示装置１の構成に加えて、下記の構成を備える。
【００８３】
すなわち、第二態様の表示装置１では、押さえ部５は、光源部４と一体である。
【００８４】
上記の構成を備えることで、第二態様の表示装置１では、光源部４を導光板２の側面に光を照射する位置に配することで、押さえ部５を表示パネル３の端部を押さえる位置に配することができ、組み立てがしやすい。
【００８５】
また、実施形態１及びその変形例の表示装置１のように、第三態様の表示装置１は、第一または第二態様の表示装置１の構成に加えて、下記の構成を備える。
【００８６】
すなわち、第三態様の表示装置１では、表示パネル３は、薄肉部３０よりも厚みの大きな本体部３３を、薄肉部３０と連続して有する。薄肉部３０の後面３００は、本体部３３の後面３３０よりも前側に位置する。導光板２には、薄肉部３０の後面３００に接するように、前側に突出した厚肉部２２が設けられる。
【００８７】
上記の構成を備えることで、第三態様の表示装置１では、薄肉部３０の前面３０１とこれに連続する本体部３３の前面３３１とを面一に設けることができ、また、押さえ部５に押されて薄肉部３０が全体的に後側に変位することを抑制できる。そのため、第三態様の表示装置１では、表示パネル３の端部（薄肉部３０）とこれに連続する部分（本体部３３）とで、前側から視たときの外観が変わることを抑制でき、薄肉部３０が目立ちにくい。
【００８８】
また、実施形態２及びその変形例の表示装置１のように、第四態様の表示装置１は、第一〜第三態様のいずれかの表示装置１の構成に加えて、下記の構成を備える。
【００８９】
すなわち、第四態様の表示装置１では、表示パネル３は、薄肉部３０よりも厚みの大きな本体部３３を、薄肉部３０と連続して有する。薄肉部３０の前面３０１は、本体部３３の前面３３１よりも後側に位置する。
【００９０】
上記の構成を備えることで、第四態様の表示装置１では、表示パネル３の薄肉部３０の前面３０１と本体部３３の前面３３１の前後位置が同じ場合に比べて、押さえ部５を後側に配することができ、押さえ部５の前側への突出を抑えることができる。
【００９１】
また、実施形態１、２及びその変形例の表示装置１のように、第五態様の表示装置１は、第二または第三態様の表示装置１の構成に加えて、下記の構成を備える。
【００９２】
すなわち、第五態様の表示装置１では、薄肉部３０の前面３０１または後面３００は、第一面（面３０１ａ，３００ａ）と、第一面と連続し、本体部３３に近い部分ほど前後方向の外側に位置する第二面（凹曲面３０１ｂ，３００ｂ）とで構成される。第一面と第二面とは段差を介さずに連続する。
【００９３】
上記の構成を備えることで、第五態様の表示装置１では、表示パネル３を射出成型する際に、第一面と第二面とが段差を介して連続するように設ける場合に比べて、金型が形成しやすくて、表示パネル３の成形がしやすい。
【００９４】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００９５】
１      表示装置
２      導光板
２２    厚肉部
３      表示パネル
３０    薄肉部
３００  後面
３０１  前面
３３    本体部
３３０  後面
３３１  前面
４      光源部
５      押さえ部
【図１】
2019133031.tif 000003
【図２】
2019133031.tif 000004
【図３】
2019133031.tif 000005
【図４】
2019133031.tif 000006
【図５】
2019133031.tif 000007